(57)【要約】【課題】切削工具の軽量化とともに低コスト化を図って、工作物の加工の効率化ひいては加工コストの低減を図る。【解決手段】切削工具本体１自身を射出成形によるプラスチック製としてスローアウェイ化し、この切削工具本体１に切削インサート１１をカートリッジ１５を介して固定した。プラスチック製としたことで、軽量化と低コスト化が図られる。また、スローアウェイとしたことで、切削インサート１１の交換をすることなく、切削工具丸ごとの交換をすることとなり、切削インサート１１の切れ刃高さの調節が不要となるため、アイドルタイムがなくなり、工作物の加工の効率化が図られる。【選択図】    図１
2006159350.tif 000002
【特許請求の範囲】
【請求項１】
切削工具本体自身をプラスチック製としてスローアウェイ切削工具本体としたことを特徴とする切削工具本体。
【請求項２】
前記切削工具本体が回転切削工具用のものであることを特徴とする請求項１に記載の切削工具本体。
【請求項３】
前記切削工具本体自身を射出成形によるプラスチック製としたことを特徴とする請求項１又は２に記載の切削工具本体。
【請求項４】
前記切削工具本体がねじ穴を備えているものであって、そのねじ穴が、切削工具本体自身の射出成形時にインサート成形された金属部材に形成されていることを特徴とする請求項２又は３に記載の切削工具本体。
【請求項５】
前記切削工具本体がねじ穴を備えているものであって、そのねじ穴が、金属製のねじ穴付部材を切削工具本体自身の射出成形時にインサート成形することによって形成されていることを特徴とする請求項２又は３に記載の切削工具本体。
【請求項６】
前記切削工具本体が、カートリッジを切削工具本体自身の射出成形時にインサート成形によって備えていることを特徴とする請求項３に記載の切削工具本体。
【請求項７】
前記ねじ穴が、切削インサートをねじ込み方式によって締め付けるためのねじ穴であることを特徴とする請求項４又は５に記載の切削工具本体。
【請求項８】
前記ねじ穴が、カートリッジをねじ込み方式によって締め付けるためのねじ穴であることを特徴とする請求項４又は５に記載の切削工具本体。
【請求項９】
請求項１〜３のいずれか１項に記載の切削工具本体に、切削インサートを固定してスローアウェイ切削工具としたことを特徴とする切削工具。
【請求項１０】
請求項６に記載の切削工具本体の前記カートリッジに切削インサートを固定してスローアウェイ切削工具としたことを特徴とする切削工具。
【請求項１１】
請求項７に記載の切削工具本体の前記ねじ穴に、ねじ部材をねじ込むことによって切削インサートを締め付けてスローアウェイ切削工具としたことを特徴とする切削工具。
【請求項１２】
請求項８に記載の切削工具本体の前記ねじ穴に、ねじ部材をねじ込むことによって切削インサートを固定したカートリッジを締め付けてスローアウェイ切削工具としたことを特徴とする切削工具。
【発明の詳細な説明】
【技術分野】
【０００１】
本発明は、フライスカッターボディなどの切削工具本体、および同本体に切削インサートを固定してなる切削工具に関する。
【背景技術】
【０００２】
旋削用切削工具や回転切削工具に用いられる切削工具本体（ホルダ又はカッターボディともいわれる）は、鋼材などの鉄系金属材料（丸棒材（丸鋼）、角材等）を切断して素材とし、これを機械加工することで形成、製造されるのが普通である。鋼材を素材としているのは強度、被加工性、切削工具として使用される時の切削工具本体に加わる耐衝撃性、さらには経済性（素材コスト）などからして適するためである。ところが、このような切削工具（以下、単に工具ともいう）によって加工されるワーク（工作物）が、アルミニウム材或いはアルミニウム合金材などのように、比較的、軽切削となる場合には、切削工具本体にはさほど大きな強度は要求されないし、切削時の発熱も低い。このため、このような加工に用いられる工具本体には、加工の高速化、効率化、さらには軽量化を目的として、一部、アルミニウム合金からなるものも提案されている（特許文献１）。
【特許文献１】特開２０００−９４２１１
【発明の開示】
【発明が解決しようとする課題】
【０００３】
しかし、アルミニウム或いはアルミニウム合金製（以下、単にアルミニウム製ともいう）の切削工具本体では、それ自体の製造コストが高くなる。というのは、このような本体も、鋼材を素材としているものと同様に、アルミニウム製の丸棒等を切断して出発材とし、これを機械加工して製造することになるためである。すなわち、このような工具を製造するには、材料取りから始めて、その完成までには鋼材製のものと同様の多くの加工工程を要する。その上に、アルミニウム製のものではその素材コストが鋼材のものより高くつくためである。そして、近時は切削速度の益々の高速化が要請されており、このために切削工具についてはさらなる軽量化の要請がある。
【０００４】
従来の切削工具のうち、スローアウェイ方式の切削インサート（スローアウェイチップともいわれる）を固定しているものでは、その交換にかなりの時間を要する。とくに、フライスカッターのように、複数のスローアウェイ方式の切削インサートを備える切削工具においては、その切削インサートの交換に多大の時間を要する。というのは、このような交換に際しては、切り屑や切削油の処理ないし除去をした上で、その交換を行うことになり、しかも、切削インサートの刃先高さの調整に多くの時間がかかるためである。そして、このような交換時間はアイドルタイムとなることから、結果として加工時間の延長を招き、工作物の加工コストのアップの原因となっており、その改善が要求されている。
【０００５】
本発明は、切削工具の軽量化及び低コスト化を図るとともに、工作物の加工効率の向上ひいては加工コストの低減を図ることをその目的とする。
【課題を解決するための手段】
【０００６】
上記の目的を達成するため、請求項１に記載の発明は、切削工具本体自身をプラスチック製としてスローアウェイ切削工具本体としたことを特徴とする切削工具本体である。また、請求項２に記載の発明は、前記切削工具本体が回転切削工具用のものであることを特徴とする請求項１に記載の切削工具本体である。
【０００７】
そして、請求項３に記載の発明は、前記切削工具本体自身を射出成形によるプラスチック製としたことを特徴とする請求項１又は２に記載の切削工具本体である。
【０００８】
このような本発明における切削工具本体をなすプラスチック（樹脂）の素材は特に限定されるものではなく、工具の用途、種類、切削条件などに応じて要求される強度、特性をもつものから、その種類等を選択すればよい。なお、本発明においてプラスチック製とは、プラスチックを主体として形成したものをいう。したがって、本体がプラスチックのみからなる場合はもちろんのこと、プラスチックにガラス繊維などの別素材を含んでいるものでもよく、さらには、別部材が射出成形時にインサート（成形）されているものや、その成形後に接合（又は接着）されているものであってもよい。
【０００９】
請求項４に記載の発明は、前記切削工具本体がねじ穴（メスねじ）を備えているものであって、そのねじ穴が、切削工具本体自身の射出成形時にインサート成形された金属部材に形成されていることを特徴とする請求項２又は３に記載の切削工具本体である。そして、請求項５に記載の発明は、前記切削工具本体がねじ穴を備えているものであって、そのねじ穴が、金属製のねじ穴付部材を切削工具本体自身の射出成形時にインサート成形することによって形成されていることを特徴とする請求項２又は３に記載の切削工具本体である。
【００１０】
請求項６に記載の発明は、前記切削工具本体が、カートリッジを切削工具本体自身の射出成形時にインサート成形によって備えていることを特徴とする請求項３に記載の切削工具本体である。本明細書において、カートリッジとは、切削インサートを切削工具本体に固定するためのものであって、その固定の際に、切削インサートと本体の両者の間に配置される中間部材をいい、ブレード又はロケータともいわれる。
【００１１】
請求項７に記載の発明は、前記ねじ穴が、切削インサートをねじ込み方式によって締め付けるためのねじ穴であることを特徴とする請求項４又は５に記載の切削工具本体である。
【００１２】
請求項８に記載の発明は、前記ねじ穴が、カートリッジをねじ込み方式によって締め付けるためのねじ穴であることを特徴とする請求項４又は５に記載の切削工具本体である。
【００１３】
請求項９に記載の発明は、請求項１〜３のいずれか１項に記載の切削工具本体に、切削インサートを固定してスローアウェイ切削工具としたことを特徴とする切削工具である。
【００１４】
請求項１０に記載の発明は、請求項６に記載の切削工具本体の前記カートリッジに切削インサートを固定してスローアウェイ切削工具としたことを特徴とする切削工具である。
【００１５】
請求項１１に記載の発明は、請求項７に記載の切削工具本体の前記ねじ穴に、ねじ部材をねじ込むことによって切削インサートを締め付けてスローアウェイ切削工具としたことを特徴とする切削工具である。
【００１６】
請求項１２に記載の発明は、請求項８に記載の切削工具本体の前記ねじ穴に、ねじ部材をねじ込むことによって切削インサートを固定したカートリッジを締め付けてスローアウェイ切削工具としたことを特徴とする切削工具である。
【発明の効果】
【００１７】
本願発明者においては、従来、軽量ではあるものの、低耐熱性や低強度、低耐摩耗性等からして、切削工具本体には使用不可能とされていたプラスチックで工具本体の試料を作るなどしてプラスチック製の工具本体の実用化について鋭意検討を重ねてきた。その結果、工作物（ワーク）がアルミニウム、アルミニウム合金、銅合金、或いはプラスチックなどであり、切削時にさほど発熱せず、しかも被削性もよいことなど、一定の切削条件下では、プラスチック製の切削工具本体を使用しても、ある程度の加工数の使用に耐え得ることを知るに至った。本発明は、このような知見に基づいてなされたもので、切削工具本体を、例えば切削インサートの寿命のように比較的短期に寿命がくるとしても、プラスチック製としてスローアウェイ切削工具本体としたため、次のような効果が得られる。
【００１８】
第１には、その切削工具本体の軽量化とともに低コスト化が図られる。第２には、スローアウェイ切削工具本体としたことで、それに切削インサートを固定してなるスローアウェイ切削工具によれば、従来のように切削インサートのみの交換をすることなく、切削インサート付の切削工具そのものを丸ごと交換することができる。このため、従来の切削インサートの交換におけるような切れ刃の高さ等の位置の調節を不要とできるため、加工現場におけるアイドルタイムの著しい短縮が可能となり、したがって、工作物の加工効率の向上が図られる。このように、本発明によれば、切削工具にかかわる管理コストの低減が図られることから、加工コストの全体としての低減が可能となる。
【００１９】
特に、請求項３に記載の発明では、切削工具本体を射出成形によって形成したものであるため、さらにその低コスト化が図られる。また、請求項４に記載のように、切削工具本体がねじ穴を備えているものであって、そのねじ穴が、切削工具本体自身の射出成形時にインサート成形された金属部材に形成されているものでは、そのねじ穴を用いてカートリッジや切削インサートをねじ込み方式で締め付ける場合、強固に固定できるため、スローアウェイ切削工具であってもその信頼性が高められる。しかも、このようにインサート成形された後の金属部材にねじ穴を形成したものでは、ねじ穴位置の精度向上も期待される。もっとも、ねじ穴は請求項５に記載のように、金属製のねじ穴付部材を切削工具本体自身の射出成形時にインサート成形することによって形成してもよい。さらに、請求項６に記載のように、カートリッジ自体をインサート成形した場合には、そのカートリッジに固定される切削インサートが受ける切削抵抗が、工具本体に分散してかかるようにすることができるため、比較的大きな切削抵抗にも耐え得る。ねじ穴の用途は切削インサートやカートリッジの締め付けに限定されるものではないが、請求項７又は８に記載のように、これらの締め付けに用いる場合には、前記もしたように、それらを強固に固定できる。さらに、請求項９に記載のように、本発明のスローアウェイ切削工具本体を用いた切削工具によれば、切削においてさほど高温とならない、アルミニウム、アルミニウム合金などのワークの加工に特に好適である。
【００２０】
また、請求項１０〜１２に記載のように、切削インサートを固定してなるスローアウェイ切削工具によれば、切削工具の交換においては、それを丸ごと取り替えることでよい。したがって、切れ刃の調節をすることを要しないため、上記もしたように、加工時間のアイドルタイムを著しく短縮できるから、工作物の加工効率の向上ひいては加工コストの全体としての低減が可能となる。加えて、本願発明の切削工具においては、その本体がプラスチック製であるため、機械加工時におけるトラブル発生によって、切削工具が主軸から分離して加工機械本体やワークに衝突しても、切削工具本体自身が加工機械やワークよりも低硬度、低強度のため、金属製の本体によるような大きな損傷を与えることはない。したがって、トラブル発生時のダメージを小さくできる、という効果もある。しかも、スローアウェイ切削工具であることから、その工具の損害額も小さいものとすることができる。
【発明を実施するための最良の形態】
【００２１】
本発明のスローアウェイ切削工具本体およびスローアウェイ切削工具を実施するための最良の形態について、図１〜４に示した回転切削工具（正面フライスカッター）に基づいて詳細に説明する。図１は、回転切削工具を示す半断面側面図、図２は図１を正面側から見た図、図３は図１のＡ矢視部分図、そして、図４はねじ穴付部材を切削工具本体に埋設状に固定している状態の説明用拡大断面図である。
【００２２】
図中、１は、プラスチック製（樹脂製）の回転切削工具（フライスカッター）本体であり、本形態では、射出成形により形成されている。プラスチック（樹脂）の材質（種類）については後述する。このスローアウェイ切削工具本体（以下、単に本体ともいう）１は円筒状を呈しており、回転軸Ｇを含む中央には上下に貫通する、工作機械（例えば正面フライス）のスピンドルＳに取り付けるための貫通穴２が設けられている。この貫通穴２は、その上部（図１の上部）に、フライスのスピンドルＳの先端部が嵌入する円筒状空穴２ａを備えており、下部の先端面３側には、上下方向の中間部の小円筒状空穴２ｂを介して、工具取り付け用のねじ部材（頭部付ボルト）Ｂの頭部沈頭用の円形凹部２ｃを備えている。そして、外周面４には、例えば６個の切削インサート取付け用のポケット（以下、チップポケットという）５が、図２に示したように、回転軸Ｇ方向から見て等角度間隔で６箇所凹設され、本体１の先端面３側に開口されている。各チップポケット５は、切削インサート１１の固定（装着）および切り屑処理性を考慮して形成されており、いずれも同じ形状、大きさに形成されている。また、本体１の外周面４の適所には、ねじ穴が設けられバランス用のねじ部材４ａがねじ込まれている。
【００２３】
そして、各チップポケット５には、例えば超硬合金製の切削インサート（例えばスローアウェイチップ）１１をクランプスクリュー１３で固定した、例えば金属（クロムモリブデン鋼）製のカートリッジ１５が、固定用ねじ部材である、鋼製の六角穴付ボルト１７による締め付け（ねじ締め）により固定されている。すなわち、図４に示したように、本体１における各チップポケット５の底部（回転軸寄り部位）６には、六角穴付ボルト１７をねじ込むためのねじ穴（メスねじ）８が設けられており、カートリッジ１５に設けられた座ぐり穴付きボルト穴１６に六角穴付ボルト１７を挿通して前記ねじ穴８にねじ込み、その頭部１７ｂで座ぐり穴付きボルト穴１６の座面１６ｂを押付けることでカートリッジ１５を固定するように形成されている。このように外観は従来の金属製の本体と基本的に同じである。
【００２４】
しかし、本体１はスロアウェイのためにプラスチック製とされている。このため、切削インサート１１を固定したカートリッジ１５を固定するための、チップポケット５の底部６のねじ穴８は、本形態では、本体１を形成しているプラスチックの部位（肉）に直接形成されているのではなく、その本体１自身の射出成形時に、金属製のねじ穴付部材１９をインサート成形することによって一体的に形成されている。このねじ穴付部材１９は、図４に示したように、つき抜けていないねじ穴（内周面にメスねじ）８を有する金属部材（袋ナット形状のもの）とされている。そして、このねじ穴付部材１９は、外周面（軸周り）には固定力の向上ないし抜け止めのため凹溝１９ｂが設けられており、さらに図５に示したように、本体１に対する固定力の向上ないし回り止めのため、例えば六角ナット状とされている。ただし、このねじ穴付部材１９は、単なるナット形状のものでもよいし、ばね鋼（ＳＵＰ１０）などからなる、螺旋状のヘリサートと呼ばれる部材でもよい。
【００２５】
このように、ねじ穴８は、本体１をなすプラスチックがむき出しとなっておらず、金属製のねじ穴付部材１９で形成されているため、カートリッジ１５の取り付けにおける六角穴付ボルト１７の締め付けによって、そのねじ山が破断を起こすこともない。また、ねじ穴８が、金属製のねじ穴付部材１９を本体１の射出成形時にインサート成形することで形成されているため、容易にねじ穴８が形成ができるとともに、ねじ穴付部材１９は本体１に強固に固定される。
【００２６】
また、本形態では、切削インサート１１の刃先の高さをカートリッジ１５を軸線Ｇ方向に微量移動することで調整するように構成されており、スローアウェイ切削工具として組み立てられた段階で、切削インサート１１は、切れ刃高さが調整されて固定されている。この調節において、カートリッジ１５を本体１の先端（図１下）側へ移動するには、カートリッジ１５の後端（図１の上端）の傾斜壁２０に、調節用の頭部付ねじ部材２１の頭部を押付けながら、そのねじ部材２１をねじ込むことにより、カートリッジ１５が軸線Ｇ方向（先端側）に移動するように構成されている。このため、チップポケット５の底部６の後端（図１上）寄り部位には、頭部付ねじ部材２１のねじ込み用のねじ穴２２が形成されている。そして、このねじ穴２２も、図示はしないが、上記したねじ穴８と同様に金属製のねじ穴付部材を本体１自身の射出成形時にインサート成形することによって形成されている。
【００２７】
このように、本形態のスローアウェイ切削工具は、その本体１自身が射出成形によるプラスチック製である。そして、金属製のねじ穴付部材１９を本体１自身の射出成形時にインサート成形することによって形成している。さらに、本体１の各チップポケット５には、切削インサート１１を固定したカートリッジ１５を配置し、固定用ねじ部材１７をねじ穴８にねじ込んで固定し、調節用の頭部付ねじ部材２１をねじ込むことで、予め切れ刃高さが調節されている。
【００２８】
このように、本形態の切削工具は、切削工具本体１を、プラスチック製としてスローアウェイとしたことで、その軽量化とともに低コスト化が図られ、工作物の加工の効率化ひいては加工コストの低減が可能となる。とくに、本形態では本体１を射出成形によって形成したため、その大きな低コスト化が図られる。このような切削工具は、これを切削に用いて切削インサート１１の設定寿命時間（或いは加工数）に至ったら、切削工具全体を丸ごと新品に交換すればよい。このとき、新品の切削工具は、別途、切削インサート１１が事前に切れ刃高さが調整されて固定されているため、アイドルタイムを省略した簡易、迅速な工具交換が可能となる。したがって、工作物の加工効率が高められ、加工コストの低減が可能となる。すなわち、切削インサート１１の調節及び交換に要する時間コストに比べれば、スローアウェイとしたプラスチック製の切削工具本体のコストの方が安くできるため、加工コスト全体としてみると、その低減が図られる。
【００２９】
また、上記もしたが、本形態では金属製のねじ穴付部材１９をインサート成形によって固定しているため、カートリッジ１５の六角穴付ボルト１７による締め付けにおいて、過大トルクがかけられたとしても、ねじ穴付部材１９が本体１から緩むような危険性も低減できるという効果がある。なお、ねじ穴８は、金属部材をインサート成形した後で形成することとしてもよい。
【００３０】
さらに本形態では、切削インサート１１をカートリッジ１５を介して本体１のチップポケット５に固定する構造のものとしたため、工作物の切削により切削インサート１１が高温となっても、その熱はカートリッジ１５に伝達されて放熱されるため、チップポケット５などプラスチック製の切削工具本体１部分の高温防止も図られるため、スローアウェイ切削工具であるとしても、その寿命の延長が図られる。
【００３１】
上記した切削工具においては、カートリッジを介して切削インサートを固定した場合を例示したが、本発明の切削工具においては、その本体に、切削における切削インサートの発熱に耐えうる材質のプラスチックを用いるか、切削における発熱温度の低い加工に用いる場合には、図６，７に示した実施の形態にかる切削工具本体５１のように、カートリッジを使用しなくともよい。すなわち、同図に示したように、カートリッジを設けることなく、切削工具本体５１のチップポケット５の切削インサート座５ａに切削インサート１１を着座させて、クランプスクリュー１３を切削インサート座５ａに設けたねじ穴２４にねじ込んで締め付けることにより切削インサート１１を直接固定して切削工具としてもよい。
【００３２】
このような切削工具においては、カートリッジを設けない分、工具の低コスト化が図られる。このため、スローアウェイ切削工具により適するものとなる。発熱が問題となりにくいアルミニウム製の工作物を軽切削する場合に好適である。
【００３３】
もっとも、このようにカートリッジを使用しない場合においても、図８、９に示したように、クランプスクリュー１３がねじ込まれる本体５１側のねじ穴２４は、上記した形態におけるのと同様の例えば六角ナット状の金属製のねじ穴付部材１９を本体５１自身の射出成形時にインサート成形することによって一体的に形成しておくのがよい。このようにしておくことで、クランプスクリュー１３をそのねじ穴２４に強固に締め付けることができることから、切削インサート１１の固定を確実にできる。なお、図８中のねじ穴付部材１９は、ねじが突き抜けているものとしたが、上記したものと同様に、突き抜けていないものとしてもよい。また、図８中の１９ｂは抜け止め用の凹溝である。
【００３４】
また、上記において本発明にかかる切削工具本体が備えているねじ穴は、カートリッジ又は切削インサートを固定したり、カートリッジを移動して刃先高さを調整するものとして具体化した場合を例示した。しかし、本発明におけるねじ穴は、これら以外のねじ穴（例えば、バランス用ねじ部材４ａのねじ込み用のもの）であってもよく、ねじ穴の用途に限定されるものではない。なお、ねじ穴付部材を図４に示したように、つき抜けていないねじ穴を有する金属部材としてインサート成形する場合には、インサート成形する際にプラスチック材料（生地）がねじ穴の内面（ねじ）に付着することがないので、つき抜けているねじ穴を備えたねじ穴付部材をインサート成形する場合のように別途にねじ保護手段を講じる必要もなく便利である。
【００３５】
さらに上記においては、ねじ穴８，２４が、金属製のねじ穴付部材１９を切削工具本体１、５１自身の射出成形時にインサート成形することによって形成されたものとして具体化したが、そのねじ穴は次のように形成することもできる。すなわち、上記もしたように、ねじ穴は、切削工具本体自身の射出成形時に金属部材をインサート成形し、その後工程で、インサート成形された同金属部材にねじを立てる（ねじ加工をする）ようにしてもよい。このようにすれば、本体を射出成形で成形するとしてもねじ保護手段を講じる必要がないだけでなく、ねじ穴の位置精度を高めることもできる。
【００３６】
さて次に、本発明のスローアウェイ切削工具の別の実施の形態について図１０〜図１２に基づいて説明する。このものは、図１における切削インサートを固定するためのカートリッジを、ねじ込み方式で締め付けるのでなく、切削工具本体自身の射出成形時にインサート成形によって同本体に一体化したものである。すなわち、このものは、図１におけるカートリッジ１５のボルト穴１６を塞いだ形態に形成されカートリッジ６５を、チップポケット５において対応する部位に、本体６１自身の射出成形時にインサート成形によって設けたものである。なお、本形態のものは図１のものと、カートリッジ６５を本体６１自身の射出成形時にインサート成形によって設けた点が相違するのみであるため、同一の部位には同一符号を付すに止め、その相違点のみ説明する。
【００３７】
すなわち、本形態のスローアウェイ切削工具においては、カートリッジ６５が、図１の切削工具本体１におけるチップポケット５に対応する部位に、本体６１自身の射出成形時にインサート成形によって固定されて設けられている。このため、カートリッジ６５を本体６１に固定するためと、それを軸線方向に移動調節するためのねじ穴はなく、また、カートリッジ６５にも本体６１に固定するためのボルト穴はない。しかして、このようなカートリッジ６５は、本体６１に強固に固定されるように、図１０〜図１２に示したように、インサートされており、とくにラジアル方向への飛び出し防止のため、側面には適所に凹部６６が設けられており、その固定力が高められている。本形態では、このカートリッジ６１には、上記形態と同様に、切削インサート１１がクランプスクリュー１３で固定されて切削工具をなしている。なお、切削インサート１１の締め付けのためのねじ穴は図示はしないが図１の切削工具本体１におけるカートリッジと同様に設けられている。本発明においては、このようなカートリッジ６５もねじ穴付部材である。もっとも、このようなカートリッジ６５は、切削インサートをねじ込み方式でなく、クランプオン方式で固定するものとしても具体化できる。
【００３８】
上記した各切削工具本体は射出成形によるものとしたため、その製造が容易となり、低コスト化が図られるために、スローアウェイに好適である。なお、射出成形による場合には、成形用の金型内に、インサート部品であるねじ穴付部材、又はカートリッジ、或いはその他の金属部材を位置決めしてセットし、その状態で型閉じして、金型内に材料を射出することで形成される。なお、インサート部品は、正しく位置決め、保持されるように、インサートピン等の位置決め手段で位置決めすればよい。なお、このような本体を射出成形によって形成するとしても、フライスのスピンドルＳに取り付けるための貫通穴２の内周面やカートリッジや切削インサートの取り付け部（取り付け座）のように、所要の寸法精度が要求される部位には、予め、加工取り代を付与しておき、成形後において適宜に機械加工をして所望とする寸法精度を出すようにするのが好ましい。
【００３９】
上記においては、本体自身の射出成形時に、ねじ穴付部材等をインサートしたスローアウェイ切削工具本体として具体化した場合を説明したが、切削インサートやカートリッジの固定に大きな固定力が要求されない場合や、ねじ山の大きなねじを用いることで、切削インサート等を固定するねじ部材による締付け（トルク）に十分耐え得る場合には、プラスチック製の本体に直接ねじ穴を形成してもよい。このようにすれば、切削工具本体はさらに低コストで製造できるため、スローアウェイに一層適するようになる。なお、切削インサートやカートリッジの切削工具本体への固定は、接着剤による接着によることもできるし、ねじ部材による締付けと接着剤による接着の両固定手段によることもできる。また、本体を射出成形する場合には、その本体自身の射出成形時に、切削インサートをインサート成形することで、その固定をすることもできる。このようにして切削インサート付の切削工具を製造した場合には、要すれば、所望とする精度に切れ刃高さ等の調整を研磨や研削によって行えばよい。
【００４０】
なお、切削工具本体をなすプラスチックは、切削工具の用途や切削条件に応じ、スローアウェイ切削工具として、ある程度の寿命を保持できるものから選定すればよい。ただし、ガラス繊維相を３０〜６０％含有する非結晶性プラスチック（例示すれば、ポリエーテルイミド樹脂、ナイロン６−６）が好ましい材料といえる。というのは、切削工具本体には、たとえアルミニウム製のワークの加工に用いるとしても、当然のことながら、なるべく高い耐熱性、強度、剛性、或いは軽量性が求められるが、前記非結晶性プラスチックであれば、射出成形にも支障なく、しかもこうした要請に良く応えることができるためである。因みに、前記において例示したガラス繊維相を３０〜６０％含有する非結晶性プラスチック（ポリエーテルイミド樹脂）では次のような物理特性がある。耐熱性が、過重たわみ温度（熱変形温度  １．８２ＭＰａ）で２００℃以上ある。また、引張り強度（２３℃のときの降伏点）が１５０ＭＰａ以上ある。そして、アイゾット衝撃強度（２３℃でノッチ付試験片）で、１００Ｊ／ｍ以上ある。しかも、常温における比重が１．７以下である。
【００４１】
なお、上記においては、回転切削工具の１例である正面フライスカッターにおいて具体化したが、本発明における切削工具はこれに限定されるものではない。例えば、旋削に使用するバイトとしても具体化できるし、ボーリングバーとしても具体化できる。さらに、上記においては切削インサートを、カートリッジを介して、或いは直接、ねじ部材により本体に設けたねじ穴にねじ締めすることで、或いは接着することで固定する場合を説明したが、本発明の切削工具では、別段このような固定手段に限定されるものではなく、ロック機構による固定手段等その他の固定手段を用いることもできる。
【００４２】
本発明は、上記において説明したものに限定されるものではなく、適宜に設計変更して具体化できる。また、本体に用いるプラスチックの材質は、ポリエーテルイミド樹脂又はナイロン６−６以外にも、加工用途など、切削工具本体に具体的に要求される強度、衝撃特性、剛性、耐疲労性、硬さ、耐熱性、熱膨張係数、耐油性、耐水性等々の物理的性質、或いは機械的性質に応じ、かつ本体の形状（構造）、寸法等の設計に基づいて、スローアウェイ工具として適するように選択すればよい。
【図面の簡単な説明】
【００４３】
【図１】本発明の回転切削工具の半断面側面図。
【図２】図１を正面側（図１の下側）から見た図。
【図３】図１のＡ矢視部分図。
【図４】ねじ穴付部材を切削工具本体に埋設状に固定している状態の説明用拡大断面図。
【図５】図４におけるＢ−Ｂ線部分断面図。
【図６】別の回転切削工具の側面図。
【図７】図６を正面側から見た一部破断図。
【図８】図７において、ねじ穴付部材をインサートした要部拡大図。
【図９】図８におけるＣ−Ｃ線部分断面図。
【図１０】カートリッジをインサート成形した側面から見た部分図。
【図１１】図１０におけるＤ−Ｄ線部分断面図。
【図１２】図１０におけるＥ−Ｅ線部分断面図。
【符号の説明】
【００４４】
１、５１、６１  切削工具本体
８、２２、２４  ねじ穴
１１  切削インサート
１３  クランプスクリュー
１５、６５  カートリッジ
１７  固定用ねじ部材
１９  ねじ穴付部材
【図１】
2006159350.tif 000003
【図２】
2006159350.tif 000004
【図３】
2006159350.tif 000005
【図４】
2006159350.tif 000006
【図５】
2006159350.tif 000007
【図６】
2006159350.tif 000008
【図７】
2006159350.tif 000009
【図８】
2006159350.tif 000010
【図９】
2006159350.tif 000011
【図１０】
2006159350.tif 000012
【図１１】
2006159350.tif 000013
【図１２】
2006159350.tif 000014